(57)【特許請求の範囲】
【請求項１】
複数個のプレートクーラを分解可能に重ねてディーゼル機関に取り付けたプレートクーラ装置において、
前記プレートクーラと前記プレートクーラの間に、前記プレートクーラとディーゼル機関を連通する流路を内部に備えた仕切りブロックを配置したことを特徴とするプレートクーラ装置。
【請求項２】
ディーゼル機関と前記仕切りブロックを連通する流路を内部に備え、ディーゼル機関に取り付けられて前記仕切りブロックを支持するダクトを備えた請求項１記載のプレートクーラ装置。
【発明の詳細な説明】
【０００１】
【発明の属する技術分野】
本発明は、ディーゼル機関に取り付けられて清水や潤滑油等の各種流体を冷却するために用いられるプレートクーラに関するものである。
【０００２】
【従来の技術】
図５は、従来のディーゼル機関を示す図である。従来のディーゼル機関では、機関内を循環している清水や潤滑油等の各種流体を冷却するため、流体ごとに１種類ずつ個別にプレートクーラを用意し、それぞれ機関に取り付けていた。例えば、同図において１００は清水クーラである。１０１は潤滑油クーラであり１０２はクーラをつなぐ配管である。
【０００３】
【発明が解決しようとする課題】
このように複数のプレートクーラを１基のディーゼル機関に組み込む場合には、機関の空いている所に各々分散して組み込む必要があるため、かなり大きなスペースが必要になるとともに、各プレートクーラ間を接続する配管が長くなり、コンパクト化が難しかった。
【０００４】
本発明は、設置スペースが小さくて済み、プレートクーラ間を接続する配管が不要であり、構造がコンパクトでディーゼル機関に対する着脱が容易なプレートクーラ装置を提供することを目的としている。
【０００５】
【課題を解決するための手段】
請求項１に記載されたプレートクーラ装置（１）は、複数個のプレートクーラ（２、３、４）を分解可能に重ねてディーゼル機関（９）に取り付けたプレートクーラ装置において、前記プレートクーラと前記プレートクーラの間に、前記プレートクーラとディーゼル機関を連通する流路を内部に備えた仕切りブロック（５、６）を配置したことを特徴としている。
【０００７】
請求項２に記載されたプレートクーラ装置は、請求項１記載のプレートクーラ装置において、ディーゼル機関と前記仕切りブロックを連通する流路を内部に備え、ディーゼル機関に取り付けられて前記仕切りブロックを支持するダクト（１７）を備えたことを特徴としている。
【０００８】
【発明の実施の形態】
本発明の実施の形態の一例を図１〜図４を参照して説明する。
本例のプレートクーラ装置１は、複数種類のプレートクーラを機関９にコンパクトに組み込むため、プレートクーラを多段に重ねたものである。即ち、図１及び図２に示すように、本例のプレートクーラ装置１は、複数個のプレートクーラ２，３，４を分解可能に重ね、流体の流路が開口しているディーゼル機関９の所定取り付け位置に着脱可能に取り付けたものである。
【０００９】
これら複数種類のプレートクーラ２，３，４は、内部に流れている流体の種類が異なるので、この各種流体を各々のプレートクーラ２，３，４に区分けして流すとともに、各プレートクーラ２，３，４から外部（機関９）に流体を別々に取り出せるような構造にしなければならない。このため、内部に流路が形成された仕切りブロック５，６を各プレートクーラ２，３，４の間に設けた。
【００１０】
仕切りブロック５，６は鋳物製であり、ディーゼル機関９側の流路とプレートクーラ３，４の流路とを連通させる流路が内部に形成されており、プレートクーラ２，３の片面側に取り付けられる。
【００１１】
図１及び図２に示すように、本例では、３つのプレートクーラ２，３，４が、２つの仕切りブロック５，６を間に挟んで同じ向きで重ねられ、図４に示すように共通のガイド棒７及び連結手段としてのスタッドボルト８により、分解可能に一体化されて機関９に取り付けられている。
【００１２】
機関９に最も近い位置にある第１プレートクーラ２は、第１背面プレート１０と第１仕切りブロック５に挟まれて一体化されている。これを第１ユニット１１と呼ぶ。第１ユニット１１は単体完備品であり、これのみを独立して機関９から取り外すことができる。第１ユニット１１の第１背面プレート１０が機関９の壁部９ａ  に取り付けられ、第１ユニット１１の第１プレートクーラ２の流路は第１背面プレート１０を介して機関９の壁部９ａ  に開口した流路１２に連通している。
【００１３】
第１ユニット１１の第１仕切りブロック５は機関９の棚部１３上に設置されており、その流路は棚部１３の上面に開口した機関の流路に連通している。また、第１ユニット１１の第１仕切りブロック５は、第１ユニット１１の第１プレートクーラ２の流路に２箇所で接続され、後述する第２ユニット１５の第２プレートクーラ３の流路に４箇所で接続されている。
【００１４】
中央の第２プレートクーラ３は、第２背面プレート１４と第２仕切りブロック６に挟まれて一体化されている。これを第２ユニット１５と呼ぶ。第２ユニット１５は単体完備品であり、これのみを独立して機関９から取り外すことができる。第２ユニット１５の第２背面プレート１４は、第１ユニット１１の第１仕切りブロック５に取り付けられている。第２ユニット１５の第２プレートクーラ３の流路は、第２ユニット１５の第２背面プレート１４を介して第１ユニット１１の第１仕切りブロック５の流路に連通し、機関９の流路に連通している。
【００１５】
機関９の棚部１３の前面１６には流路が開口している。ここにはダクト１７が取り付けられて機関９の流路に連通している。第２ユニット１５の第２仕切りブロック６はダクト１７の上に載置されて固定され、第２仕切りブロック６はダクト１７を介して機関９の流路に連通している。即ち、第２ユニット１５の第２仕切りブロック６は、第２ユニット１５の第２プレートクーラ３の流路には接続されていない。またダクト１７は、多段に重ねて機関９に取り付けられたプレートクーラの構造的な支持部材として機能し、これらを安定した状態に保持することができる。
【００１６】
第２ユニット１５の第２仕切りブロック６には、第３ユニット１８が取り付けられている。第３ユニット１８は、第３背面プレート１９と、前面プレート２０と、これら両プレート１９，２０に挟まれて一体化された第３プレートクーラ４を有している。第３ユニット１８は単体完備品であり、これのみを独立して機関９から取り外すことができる。第３ユニット１８の背面プレート１９は第２ユニット１５の第２仕切りブロック６に取り付けられており、これによって第３プレートクーラ４の流路は、背面プレート１９、第２仕切りブロック６、ダクト１７を介して機関９の流路に連通している。
【００１７】
本例のプレートクーラ装置１は、単体完備品である３つのユニット１１，１５，１８を重ねて機関９に着脱可能に固定し、各流路をそれぞれ独立して機関９側の流路に連通させたものであるから、必要に応じて分解して機関９から取り外し、必要のあるユニットのみを分解整備することができる。
【００１８】
ここで、図３を参照してプレートクーラユニットの組み立て手順（機関から取り外した状態での組み立て作業）を、第２ユニット１５を例にとって説明する。まず、２本の位置決めガイド２１，２１を台板２２に取り付けた組み立て治具２３と、この組み立て治具２３を用いて組み立てた部品を仮締めするための仮締め用スタッドボルト２４を用意する。仮締め用スタッドボルト２４の長さは、組み立てられたユニットの厚さよりも大きい。
【００１９】
組み立て治具２３の台板２２上に、２本の位置決めガイド２１，２１に沿って背面プレート１４を設置する。背面プレート１４の両端には位置決めガイド２１に係合する案内切り欠き１４ａ  があり、背面プレート１４は２本の位置決めガイド２１、２１によって台板２２上の所定位置に設置される。
【００２０】
完備品の組み立て用スタッドボルト２５と、仮締め用スタッドボルト２４を背面プレート１４に取り付ける。組み立て時に背面プレート１４と仕切りブロック１３の間隔を所定の寸法とするため、その所定の寸法に設定された管状のスペーサ２６を組み立て用スタッドボルト２５に挿通しておく。プレートクーラ１３、仕切りブロック６を位置決めガイド２１に沿って背面プレート１４上に重ねる。各部品が固定されていない組み立て前の自由な状態では、背面プレート１４と仕切りブロック６の間隔は、組み立て用スタッドボルト２５の長さよりも長い。そこで、背面プレート１４と仕切りブロック６の間隔が所定の寸法になって組み立て用スタッドボルト２５が仕切りブロック６から突出し、その先端にナット２７をかけられるようになるまで、仮締め用スタッドボルト２４を締め付ける。
【００２１】
組み立て用スタッドボルト２５にナット２７をかけ、締め付ける。背面プレート１４と仕切りブロック６の間隔が所定の寸法になり、スペーサ２６の両端が背面プレート１４と仕切りブロック６に当たるまで、締め付けを行う。そして仮締め用スタッドボルト２４からナットを外し、組み立てたプレートクーラのユニット１５を治具２３から取り外す。
【００２２】
第１ユニット１１及び第３ユニット１８も同様の手順で組み立てられる。第３ユニット１８は、仕切りブロックの代わりに前面プレート２０が設けられている。各ユニット１１、１５、１８を以上説明したような手順で組み立て、それぞれクーラ完備品の状態にする。
【００２３】
ここで、図４を参照してプレートクーラユニット１１、１５、１８の機関９への取り付けを説明する。まず、各ユニットを同じ位置に取り付けるための棒状の一対のガイド７、７、各ユニットを挿通する二対のスタッドボルト８、８、そして一対のダクト１７、１７を機関９の所定取り付け位置（棚部１３）に取り付ける。
【００２４】
各ユニット１１、１５、１８をガイド７、７に沿って機関９に取り付けていく。各ユニットの間には必要に応じてシール材を挟む。スタッドボルト８をナットで締め付けて重ねた３つのユニット１１、１５、１８を機関９に一体に固定する。第２ユニット１５の仕切りブロック６とダクト１７を固定する。
【００２５】
機関９からユニット１１、１５、１８を分解する手順、方法は以上の説明の反対を行えばよい。そして、整備などの目的でプレートクーラのユニットを機関から取り外した後、機関が配置されている機関室から外に運び出して分解することができる。従って、機関の周囲でプレートクーラを分解する場合に必要なスペースは従来よりも少なくて済む。
【００２６】
【発明の効果】
本発明によれば、仕切りブロックと組み合わせて完備品状態（ユニット）とした数種類のプレートクーラを多段に重ねて機関に取り付けている。ので、次のような効果が得られる。
【００２７】
（１）機関におけるクーラの取り付けスペースが少なくなる。
【００２８】
（２）クーラと機関を連絡する配管が不要となる。
【００２９】
（３）多段に重ねたプレートクーラの重量を、サポートを兼用するダクトで支える構成とすることができる。
【００３０】
（４）プレートクーラを機関から取り外した状態で分解できるため、機関の周囲に設けるメンテナンススペースが少なくなる。
【００３１】
（５）数種類のプレートクーラを各々完備品状態とするため、必要なクーラのみの分解・点検が可能となる。
【図面の簡単な説明】
【図１】本発明の実施の形態の一例におけるプレートクーラ装置１の側面図である。
【図２】本発明の実施の形態の一例におけるプレートクーラ装置１及びこれを構成するユニット等の分解拡散斜視図である。
【図３】本発明の実施の形態の一例におけるプレートクーラ装置１のユニットの分解拡散斜視図である。
【図４】本発明の実施の形態の一例におけるプレートクーラ装置１の分解拡散斜視図である。
【図５】従来のディーゼル機関を示す図である。
【符号の説明】
１  プレートクーラ装置
２、３、４  プレートクーラ
５、６  仕切りブロック
１１  第１ユニット
１５  第２ユニット
１７  ダクト
１８  第３ユニット
【図１】
0003585775.tif 000002
【図２】
0003585775.tif 000003
【図３】
0003585775.tif 000004
【図４】
0003585775.tif 000005
【図５】
0003585775.tif 000006